(57)【要約】【課題】放送波と、その放送波の補完放送波との間の切り替えを容易化する。【解決手段】放送受信装置１の情報処理部１４は、ＡＭ放送に対応する補完放送波が受信可能か否かを判定する補完放送判定処理と、ユーザによる操作スイッチ１６Ｓの操作に応じて、ＡＭ放送波、又は補完放送判定処理によって受信可能であると判定された補完放送波のいずれかの放送波を受信するように受信対象の放送波を切り替える放送波切替処理とを行うようにした。【選択図】図１
2019201276.tif 000002
【特許請求の範囲】
【請求項１】
放送波を受信する放送受信装置において、
第１の放送の放送波である第１の放送波を受信する第１の受信部と、
前記第１の放送波と放送方式が異なる放送波であり、前記第１の放送に対応する補完放送波を受信する第２の受信部と、
現在位置を検出する位置検出部と、
ユーザからの所定の操作を受け付け可能な操作部と、
前記位置検出部によって検出された現在位置に基づいて前記第１の放送に対応する補完放送波を特定可能な情報処理部とを備え、
前記情報処理部は、
前記現在位置に基づいて特定された前記第１の放送に対応する補完放送波が受信可能か否かを判定する補完放送判定処理と、
前記ユーザからの所定の操作に応じて、前記第１の放送波、又は前記補完放送判定処理によって受信可能であると判定された補完放送波のいずれかの放送波を受信するように受信対象の放送波を切り替える放送波切替処理と、
を行うことを特徴とする放送受信装置。
【請求項２】
前記情報処理部は、受信可能な前記第１の放送波をサーチする場合に、前記補完放送判定処理として、サーチされた前記第１の放送に対応し、かつ受信可能な補完放送波をサーチする処理を行うことを特徴とする請求項１に記載の放送受信装置。
【請求項３】
前記情報処理部は、サーチされた前記第１の放送波を受信している場合、その第１の放送に対応し、かつ受信可能な補完放送波がサーチされたときは、その補完放送波が存在する旨を報知する報知処理を行うことを特徴とする請求項２に記載の放送受信装置。
【請求項４】
前記情報処理部は、当該放送受信装置が有する複数のスイッチのうちの所定のスイッチが操作される毎に、受信可能な前記第１の放送波と、前記第１の放送に対応し、かつ受信可能な補完放送波との間で、受信対象の放送波を切り替えることを特徴とする請求項１に記載の放送受信装置。
【請求項５】
前記情報処理部は、地域毎に、前記第１の放送波と、前記第１の放送に対応する補完放送波とを特定可能な放送局リストに基づいて、現在位置から前記第１の放送に対応する補完放送波を特定することを特徴とする請求項２に記載の放送受信装置。
【請求項６】
前記情報処理部は、前記補完放送波をサーチする処理として、前記第２の受信部により受信可能な第２の放送の放送波である第２の放送波をサーチし、サーチした第２の放送波が、前記放送局リストに基づいて現在位置で受信可能な補完放送波か否かを判定することを特徴とする請求項５に記載の放送受信装置。
【請求項７】
前記情報処理部は、前記補完放送波をサーチする処理として、前記放送局リストに基づいて現在位置で受信可能な一又は複数の補完放送波を特定し、特定した補完放送波が受信可能か否かを判定することを特徴とする請求項５に記載の放送受信装置。
【請求項８】
受信可能な前記第１の放送波と、受信可能な前記補完放送波とに関する情報を表示する表示部を備えることを特徴とする請求項１から７のいずれかに記載の放送受信装置。
【発明の詳細な説明】
【技術分野】
【０００１】
本発明は、放送受信装置に関する。
【背景技術】
【０００２】
放送受信装置には、受信可能な放送局を探し出して複数備えたプリセットキーの各々に自動的に登録するオートストア機能を備えたものが知られている（例えば、特許文献１参照）。
近年、ＡＭラジオ放送を補完するＦＭ補完放送が放送するＦＭ中継局が増えている。ＦＭ補完放送は、ＡＭ放送局の放送エリアにおいて、難聴対策や災害対策のために、新たにＦＭ放送用として使用可能とした周波数（９０．１〜９５．０ＭＨｚ）を加えたＦＭ放送用の周波数（７６．１〜９５．０ＭＨｚ）によりＡＭ放送の放送番組を放送するものである。つまり、ＦＭ補完放送は、ＡＭ放送とサイマル放送の関係にある。
【先行技術文献】
【特許文献】
【０００３】
【特許文献１】特開２００３−１１８５２２号公報
【発明の概要】
【発明が解決しようとする課題】
【０００４】
ところで、従来のオートストア機能では、ＡＭ放送の中で受信可能な放送波しかプリセットできないので、そのＡＭ放送の補完放送波を受信する場合には、ユーザがＦＭ放送に切り替えてチューニング操作する必要があり、操作の時間と手間がかかってしまう。
そこで、本発明は、放送波と、その放送波の補完放送波との間の切り替えを容易化することを目的とする。
【課題を解決するための手段】
【０００５】
上記目的を達成するために、本発明は、放送波を受信する放送受信装置において、第１の放送の放送波である第１の放送波を受信する第１の受信部と、前記第１の放送波と放送方式が異なる放送波であり、前記第１の放送に対応する補完放送波を受信する第２の受信部と、現在位置を検出する位置検出部と、ユーザからの所定の操作を受け付け可能な操作部と、前記位置検出部によって検出された現在位置に基づいて前記第１の放送に対応する補完放送波を特定可能な情報処理部とを備え、前記情報処理部は、前記現在位置に基づいて特定された前記第１の放送に対応する補完放送波が受信可能か否かを判定する補完放送判定処理と、前記ユーザからの所定の操作に応じて、前記第１の放送波、又は前記補完放送判定処理によって受信可能であると判定された補完放送波のいずれかの放送波を受信するように受信対象の放送波を切り替える放送波切替処理と、を行うことを特徴とする。
【０００６】
上記構成において、前記情報処理部は、受信可能な前記第１の放送波をサーチする場合に、前記補完放送判定処理として、サーチされた前記第１の放送に対応し、かつ受信可能な補完放送波をサーチする処理を行うことを特徴とする。
【０００７】
また、上記構成において、前記情報処理部は、サーチされた前記第１の放送波を受信している場合、その第１の放送に対応し、かつ受信可能な補完放送波がサーチされたときは、その補完放送波が存在する旨を報知する報知処理を行うことを特徴とする。
【０００８】
また、上記構成において、前記情報処理部は、当該放送受信装置が有する複数のスイッチのうちの所定のスイッチが操作される毎に、受信可能な前記第１の放送波と、前記第１の放送に対応し、かつ受信可能な補完放送波との間で、受信対象の放送波を切り替えることを特徴とする。
【０００９】
また、上記構成において、前記情報処理部は、地域毎に、前記第１の放送波と、前記第１の放送に対応する補完放送波とを特定可能な放送局リストに基づいて、現在位置から前記第１の放送に対応する補完放送波を特定することを特徴とする。
【００１０】
また、上記構成において、前記情報処理部は、前記補完放送波をサーチする処理として、前記第２の受信部により受信可能な第２の放送の放送波である第２の放送波をサーチし、サーチした第２の放送波が、前記放送局リストに基づいて現在位置で受信可能な補完放送波か否かを判定することを特徴とする。
【００１１】
また、上記構成において、前記情報処理部は、前記補完放送波をサーチする処理として、前記放送局リストに基づいて現在位置で受信可能な一又は複数の補完放送波を特定し、特定した補完放送波が受信可能か否かを判定することを特徴とする。
【００１２】
また、上記構成において、受信可能な前記第１の放送波と、受信可能な前記補完放送波とに関する情報を表示する表示部を備えることを特徴とする。
【発明の効果】
【００１３】
本発明によれば、放送波と、その放送波の補完放送波との間の切り替えを容易化することができる。
【図面の簡単な説明】
【００１４】
【図１】本発明の第１実施形態に係る放送受信装置のブロック図である。
【図２】放送局リストの一例を示す図である。
【図３】放送受信装置の動作を示すフローチャートである。
【図４】オートストア処理開始時の表示部の表示例を示す図である。
【図５】ステップＳ１２の一覧表示の表示例を示す図である。
【図６】ステップＳ１３の放送波受信・切替処理の内容を示す図である。
【図７】第２実施形態に係る放送受信装置の動作を示すフローチャートである。
【発明を実施するための形態】
【００１５】
以下、図面を参照して本発明の実施の形態について説明する。
（第１実施形態）
図１は本発明の第１実施形態に係る放送受信装置のブロック図である。
放送受信装置１は、ラジオ放送を受信する装置であり、移動体である車両に搭載される。図１に示すように、放送受信装置１は、チューナ１１、信号処理部１２、アンプ１３、情報処理部１４、位置検出部１５、操作部１６、及び表示部１７を備えている。
チューナ１１は、アンテナ２０を介してＡＭ（Ａｍｐｌｉｔｕｄｅ  Ｍｏｄｕｌａｔｉｏｎ）放送の放送波を受信する第１の受信部１１Ａと、アンテナ２０を介してＦＭ（Ｆｒｅｑｕｅｎｃｙ  Ｍｏｄｕｌａｔｉｏｎ）放送の放送波を受信する第２の受信部１１Ｂとを備えている。以下、ＡＭ放送の放送波を「ＡＭ放送波」、ＦＭ放送の放送波を「ＦＭ放送波」と適宜に表記する。
この第２の受信部１１Ｂは、従来のＦＭ放送用の周波数（７６．１〜９０．０ＭＨｚ）に加え、新たな周波数（９０．１〜９５．０ＭＨｚ）のＦＭ放送波を受信可能に構成され、ＡＭラジオ放送を補完するＦＭ補完放送（ワイドＦＭとも称する）の放送波を受信可能に構成されている。
【００１６】
各受信部１１Ａ、１１Ｂは、情報処理部１４の制御の下、アンテナ２０に受信された受信電波から受信チャンネル（選択局とも称する）のＲＦ（Ｒａｄｉｏ  Ｆｒｅｑｕｅｎｃｙ）信号を抽出する。抽出されたＲＦ信号は、フィルタリング等の信号処理に適した中間周波数に周波数変換される。各受信部１１Ａ、１１Ｂは、周波数変換によって得たＩＦ（Ｉｎｔｅｒｍｅｄｉａｔｅ  Ｆｒｅｑｕｅｎｃｙ）信号を信号処理部１２に出力する。
【００１７】
ＦＭ補完放送は、ＡＭ放送局の放送エリアにおいて、難聴対策や災害対策のために実施された放送であり、ＡＭ放送の番組と同じ番組が放送される。
本実施形態では、ＡＭ放送とＦＭ放送とのそれぞれの放送波を受信する放送受信装置１の場合を例示するが、ＡＭ放送に限定されない第１の放送と、第１の放送と放送方式が異なる放送であり、かつ、第１の放送の補完放送（サイマル放送）を含む第２の放送の放送波を受信する放送受信装置１に本発明を広く適用可能である。
【００１８】
信号処理部１２は、ＩＦ検波（ＩＦ−Ｄｅｔｅｃｔｉｏｎ）によってＩＦ信号からオーディオ信号を生成し、このオーディオ信号にノイズ除去処理等の公知の処理を施す。オーディオ信号は、アンプ１３によるボリュームに応じた利得調整を経てスピーカ２１から音声として出力される。スピーカ２１は、放送受信装置１を搭載する車両に装着されたスピーカである。なお、スピーカ２１を放送受信装置１が備える構成にしてもよい。
【００１９】
情報処理部１４は、記憶部２２と、記憶部２２に記憶された制御プログラムを実行するマイクロコンピュータ等を備え、制御プログラムに従って放送受信装置１の各部の制御等を行う。この情報処理部１４は、操作部１６を介してユーザからの操作を受け付けることができる。例えば、情報処理部１４は、操作部１６を介して入力されたユーザが指定した受信チャンネルの放送波を受信し、受信した放送波に対応する音声をスピーカ２１から放音させる。
【００２０】
この放送受信装置１は、現在受信可能な放送波を自動的に検出するオートストア機能を備えている。オートストア機能は、予め設定された受信可能範囲を走査しながら受信電波強度を観測することにより、受信可能な放送波を検索し、検索された放送波を周波数が小さい放送波から順に、プリセットキーである操作スイッチ１６Ｓに割り当てるオートストア処理を実行する機能である。オートストア機能は、オートプリセット機能、又は自動選局機能と称されることもある。
【００２１】
位置検出部１５は、ＧＰＳ（Ｇｌｏｂａｌ  Ｐｏｓｉｔｉｏｎｉｎｇ  Ｓｙｓｔｅｍ）を利用して放送受信装置１の現在位置を検出するデバイスである。なお、位置検出部１５は、ＧＰＳを利用する構成に限定されず、携帯電話基地局の電波（例えばセルＩＤ）等を利用する構成でもよい。
記憶部２２には、地域毎に受信可能な放送波を記述した放送局リストも記憶されている。図２は放送局リストの一例を示す図である。
【００２２】
図２に示すように、放送局リストは、地域毎に、受信可能なＡＭ放送と、このＡＭ放送に対応するＦＭ補完放送とを対応付けたデータである。この放送局リストを参照することによって、情報処理部１４は、位置検出部１５で検出された現在位置に基づいて、ＡＭ放送と、そのＡＭ放送に対応するＦＭ補完放送との組み合わせを特定可能である。
例えば、図２に示す放送局リストを参照することで、現在位置が「広域関東」内の「Ａ地区」の場合、９５４ｋＨｚのＡＭ放送と９０．５ＭＨｚのＦＭ放送とが同じ番組であることを特定でき、１２４２ｋＨｚのＡＭ放送と９３．０ＭＨｚのＦＭ放送とが同じ番組であることを特定可能である。
また、現在位置が「東北」内の「Ａ地区」である場合、１００２ｋＨｚのＡＭ放送と９２．５ＭＨｚのＦＭ放送とが同じ××放送局の番組であることを特定でき、「東北」内の「Ｂ地区」である場合、１００２ｋＨｚのＡＭ放送と９３．９ＭＨｚのＦＭ放送とが同じ××放送局の番組であることを特定できる。言い換えると、現在位置に基づいて「東北」内では１００２ｋＨｚのＡＭ放送か、「東北」内の「Ａ地区」では９２．５ＭＨｚのＦＭ放送、「東北」内の「Ｂ地区」では９３．９ＭＨｚのＦＭ放送を受信することで、××放送局の番組を視聴することができる。
また、現在位置が「東北」内の「Ａ地区」である場合、１２３３ｋＨｚのＡＭ放送と９１．２ＭＨｚのＦＭ放送とが同じＺＺ放送局の番組であることを特定でき、「東北」内の「Ｂ地区」である場合、１２３３ｋＨｚのＡＭ放送と９１．３ＭＨｚのＦＭ放送とが同じＺＺ放送局の番組であることを特定でき、「東北」内の「Ｃ地区」である場合、１２３３ｋＨｚのＡＭ放送と９２．６ＭＨｚのＦＭ放送とが同じＺＺ放送局の番組であることを特定できる。
放送局リストには、地域、周波数に加え、放送局名も記述されるので、情報処理部１４は放送局名も特定可能である。
【００２３】
なお、図２に示す放送局リストには、ＦＭ補完放送がされないＡＭ放送は記述されていない。但し、放送局リストは、ＡＭ放送と、そのＡＭ放送に対応するＦＭ補完放送との組み合わせを特定可能な範囲で、適宜に情報を増減してもよく、例えば、ＦＭ補完放送がされないＡＭ放送についても、地域と対応づけて周波数及び放送局名な等を記述してもよい。
【００２４】
操作部１６は、ハードウェア又はソフトウェア若しくはこれらを組み合わせた種々のＵＩ（Ｕｓｅｒ  Ｉｎｔｅｒｆａｃｅ）である。本構成では、操作部１６が、表示部１７の表示画面近傍に配列される複数の操作スイッチ１６Ｓ（後述する図４）を含む多数の操作スイッチを備えている。
【００２５】
表示部１７は、情報処理部１４の制御の下、各種の情報を表示する表示デバイスであり、例えば、液晶表示デバイスが適用される。この表示部１７には、受信周波数、及び放送局名といった受信チャンネルに関する情報等が表示される。
【００２６】
図３は放送受信装置１の動作を示すフローチャートである。図３に示すフローチャートは、ＡＭ放送のオートストア処理を実行する場合の動作を示すフローチャートである。オートストア処理は、ユーザの所定操作をトリガとして開始してもよいし、情報処理部１４が所定条件を満たした（例えば、ＡＭ放送の初回受信時）と判定したことをトリガとして自動的に開始してもよい。
【００２７】
ステップＳ１において、情報処理部１４は、ＡＭ放送のサーチを開始する。この場合、情報処理部１４は、ＡＭ放送の全周波数帯を走査するまで（ステップＳ２；ＮＯ）、ＡＭ放送のサーチを継続する。ＡＭ放送の全周波数帯を走査すると（ステップＳ２；ＹＥＳ）、情報処理部１４はステップＳ３の処理に移行する。
【００２８】
ステップＳ３において、情報処理部１４は、受信可能な第１の放送波であるＡＭ放送波が存在するか否かを判定する。受信可能なＡＭ放送波が存在する場合（ステップＳ３；ＹＥＳ）、情報処理部１４は、受信可能な全てのＡＭ放送波を、記憶部２２の所定領域に割り当てたＡＭプリセットチャンネル領域（以下、ＡＭ＿Ｐｃｈ領域と表記する）にそれぞれ記憶する（ステップＳ４）。このＡＭ＿Ｐｃｈ領域のそれぞれは、複数の操作スイッチ１６Ｓに一対一で対応づけられている。
【００２９】
図４はオートストア処理開始時の表示部１７の表示例を示している。図４に示すように、表示部１７は、情報処理部１４の制御の下、オートストア処理を実行中であることを示す画像「Ａｕｔｏｓｔｏｒｅ」を表示する。
図４中、符号１６Ｓは、ＡＭ＿Ｐｃｈ領域のそれぞれに対応する周波数の受信を指示する操作スイッチである。本構成では、これら操作スイッチ１６Ｓが、表示画面の直下に横並びに設けられた複数のハードウェアスイッチに構成されている場合を示している。
なお、操作スイッチ１６Ｓを、ハードウェアスイッチに限定する必要はなく、表示画面に表示され、不図示のタッチパネルを介して操作が検出されるソフトウェアスイッチ等で構成してもよい。
【００３０】
図３に戻り、ステップＳ５において、情報処理部１４は、位置検出部１５を利用して現在位置を特定できたか否かを判定し、現在位置を特定できた場合（ステップＳ５；ＹＥＳ）、ステップＳ６の処理に移行し、ＦＭ放送のサーチを開始する。これに対し、現在位置を特定できない場合（ステップＳ５；ＮＯ）、情報処理部は、ＦＭ放送のサーチを行うことなく、ステップＳ１１の処理に移行する。
【００３１】
ステップＳ６のＦＭ放送のサーチを行う場合、情報処理部１４は、ＦＭ補完放送の周波数帯を走査範囲とし、受信可能なＦＭ補完放送波が受信可能か否かを判定する補完放送判定処理を行う。より具体的には、情報処理部１４は、第２の放送波であるＦＭ放送の全周波数帯（７６．１〜９４．９ＭＨｚ）を走査範囲とし、まず、受信可能なＦＭ放送波が存在するか否かを判定する（ステップＳ７）。そして、受信可能なＦＭ放送波が存在すると（ステップＳ７；ＹＥＳ）、情報処理部１４は、現在位置及び放送局リストに基づいて、そのＦＭ放送波がＦＭ補完放送波か否かを判定する（ステップＳ８）。ＦＭ補完放送波の場合（ステップＳ８；ＹＥＳ）、情報処理部１４は、受信可能なＦＭ補完放送波を、記憶部２２の所定領域に割り当てたサブプリセットチャンネル領域（以下、サブ＿Ｐｃｈ領域と表記する）に記憶する（ステップＳ９）
【００３２】
ここで、情報処理部１４は、放送局リストに基づいて、そのＦＭ補完放送波に対応するＡＭ放送波を特定し、そのＦＭ補完放送波を記憶するサブ＿Ｐｃｈ領域と、そのＦＭ補完放送波に対応するＡＭ放送波を記憶するＡＭ＿Ｐｃｈ領域とを対応づけている。例えば、サブ＿Ｐｃｈ領域と、ＡＭ＿Ｐｃｈ領域とをそれぞれ一体一で対応づけておき、その一方のサブ＿Ｐｃｈ領域に、受信可能なＦＭ補完放送波を記憶し、他方のＡＭ＿Ｐｃｈ領域に、そのＦＭ補完放送波に対応し、かつ受信可能なＡＭ放送波を記憶する。
【００３３】
サブ＿Ｐｃｈ領域とＡＭ＿Ｐｃｈ領域とを対応づける方法は、上記方法に限定されず、例えば、ＦＭ補完放送波を記憶するサブ＿Ｐｃｈ領域と、そのＦＭ補完放送波に対応するＡＭ放送波を記憶するＡＭ＿Ｐｃｈ領域との対応づけを記述したデータを別途作成して記憶部２２に記憶してもよい。この場合、そのデータを情報処理部１４が参照することによって、ＦＭ補完放送波と、そのＦＭ補完放送波に対応するＡＭ放送波とを特定可能である。
【００３４】
続くステップＳ１０において、情報処理部１４は、ＦＭ放送のサーチが終了したか否かを判定する。サーチが終了していない場合（ステップＳ１０；ＮＯ）、情報処理部１４は、ステップＳ７の処理に移行し、受信可能なＦＭ補完放送波の再サーチを行う。このようにして、受信可能なＦＭ補完放送波の全てが検出され、それぞれの周波数がサブ＿Ｐｃｈ領域に記憶される。ＦＭ放送のサーチが終了した場合（ステップＳ１０；ＹＥＳ）、情報処理部１４は、ステップＳ１１の処理に移行する。
【００３５】
ステップＳ１１において、情報処理部１４は、受信可能な放送波が存在するか否かを判定し、受信可能な放送波が存在した場合（ステップＳ１１；ＹＥＳ）、ステップＳ１２に移行し、受信可能な放送波が存在しない場合（ステップＳ１１；ＹＥＳ）、当該フローチャートを終了する。
ステップＳ１２において、情報処理部１４は、受信可能な放送波の一覧を表示し、続くステップＳ１３において、放送波の受信及び切り替えを行うための放送波受信・切替処理を実行する。
【００３６】
図５はステップＳ１２の一覧表示の表示例を示している。図５に示すように、情報処理部１４は、表示部１７に、受信可能なＡＭ放送波の一覧を表示させる。さらに、情報処理部１４は、受信可能なＡＭ放送波のうち、対応するＦＭ補完放送が存在し、かつ、そのＦＭ補完放送を受信可能なＡＭ放送波については、ＦＭ補完放送が存在する旨を報知する報知情報Ｇ１を表示させる。
なお、図５には、報知情報Ｇ１によって、９５４ｋＨｚ及び１２４２ｋＨｚのＡＭ放送のそれぞれにＦＭ補完放送が存在することを報知している。
【００３７】
図５に示す一覧表示によって、ユーザは、受信可能なＡＭ放送波と、ＦＭ補完放送が存在するＡＭ放送波とを視覚で容易に認識できる。
なお、図５中、「Ｐｃｈ１〜Ｐｃｈ４」は、複数の操作スイッチ１６Ｓのうち左端から順に並ぶ４つの操作スイッチに一体一で対応している。この一覧表示は、オートプリセット処理の間（例えばステップＳ３以降）から表示してもよく、この場合、受信可能な放送波が検出される毎に一覧表示画面の表示内容を更新してもよい。
【００３８】
図６はステップＳ１３の放送波受信・切替処理の内容を示す図である。
図６中、符号Ａは、矢印Ｘで示す操作スイッチ（図５中、「Ｐｃｈ３」に対応する操作スイッチ１６Ｓ）が操作された場合の表示例である。この場合、情報処理部１４は、Ｐｃｈ３に対応するＡＭ＿Ｐｃｈ領域に記憶された周波数を読み出し、第１の受信部１１Ａによりその周波数の放送波を受信し、受信した放送波に対応する音声をスピーカ２１から放音させる。また、情報処理部１４は、受信中の周波数と、放送局名と、受信可能なＦＭ放送補完放送波が存在することを示す報知情報Ｇ２とを表示する。このようにして、ユーザが指示したＡＭ放送波への切替と、切替後の放送内容を示す情報の表示と、補完放送の有無を示す情報の表示とが行われる。
【００３９】
報知情報Ｇ２の表示によって、現在受信中のＡＭ放送波に対応するＦＭ補完放送波が有り、かつ、そのＦＭ補完放送波を受信可能であることをユーザに報知できる。
この報知情報Ｇ２が表示されている場合、情報処理部１４は、現在受信中のＡＭ放送波への切替指示を行ったスイッチと同じスイッチ（矢印Ｘで示す操作スイッチ１６Ｓ）が操作されると、現在受信中のＡＭ放送波に対応するＦＭ補完放送波への切替を行う。この場合、図６の符号Ｂに示すように、情報処理部１４は、操作前に受信していた放送波に対応するＦＭ補完放送の周波数と、放送局名とを表示すると共に、第２の受信部１１Ｂにより、その周波数の放送波を受信し、受信した放送波に対応する音声をスピーカ２１から放音させる。
【００４０】
上述したように、ＦＭ補完放送波を記憶するサブ＿Ｐｃｈ領域と、そのＦＭ補完放送波に対応するＡＭ放送波を記憶するＡＭ＿Ｐｃｈ領域とを対応づけているので、情報処理部１４は、直前に受信していたＡＭ放送に対応するＦＭ補完放送波の周波数を容易に特定できる。これによって、ＡＭ放送からＦＭ補完放送への切り替えを短時間で行うことができる。
【００４１】
ＦＭ補完放送波への切替指示を行ったスイッチと同じスイッチ（矢印Ｘで示す操作スイッチ１６Ｓ）が更に操作されると、情報処理部１４は、現在受信中のＦＭ補完放送波に対応するＡＭ放送波への切り替えを行う。この場合、図６の符号Ｃに示すように、情報処理部１４は、操作前に受信していたＦＭ補完放送波に対応するＡＭ放送の周波数へ表示を切り替えると共に、第１の受信部１１Ａにより、その周波数の放送波を受信し、受信した放送波に対応する音声をスピーカ２１から放音させる。
このようにして、同じ操作スイッチ１６Ｓが操作される毎に、ＡＭ放送波と、そのＡＭ放送波に対応するＦＭ補完放送波とを切り替える処理（放送波切替処理）が実行される。
【００４２】
なお、隣接する他の操作スイッチ１６Ｓが操作された場合、操作された操作スイッチ１６Ｓに割り当てられたＡＭ＿Ｐｃｈ領域に記憶されたＡＭ放送への切り替えが行われる点を除いて、動作は同じである。つまり、切替後のＡＭ放送波にＦＭ補完放送波が存在する場合は、報知情報Ｇ２が表示され、その切り替えを行った操作スイッチ１６Ｓが操作される毎に、ＡＭ放送波と、そのＡＭ放送波に対応するＦＭ補完放送波とに切り替えられる。
また、切替後のＡＭ放送波にＦＭ補完放送波が存在しない場合、報知情報Ｇ２が表示されないので、現在受信中のＡＭ放送波に対応するＦＭ補完放送波が無いことをユーザが認識可能である。
【００４３】
上述したように、ステップＳ５の処理で現在位置を特定できない場合、ステップＳ１１において、情報処理部１４は、表示部１７に受信可能なＡＭ放送波の一覧を表示させる。そして、ステップＳ１３において、情報処理部１４は、操作スイッチ１６Ｓの操作に応じて、その操作スイッチ１６Ｓに割り当てられたＡＭ放送波を受信する処理を行う。
【００４４】
以上説明したように、放送受信装置１の情報処理部１４は、ＡＭ放送に対応する補完放送波が受信可能か否かを判定する補完放送判定処理と、ＡＭ放送波を受信する場合、ユーザによる所定の操作である操作スイッチ１６Ｓの操作に応じて、ＡＭ放送波、又は補完放送判定処理によって受信可能であると判定された補完放送波のいずれかの放送波を受信するように受信対象の放送波を切り替える放送波切替処理とを行うので、ＡＭ放送波とＦＭ補完放送波との間の切り替えを容易かつ短時間で行うことができる。
【００４５】
また、情報処理部１４は、オートストア処理によって受信可能なＡＭ放送波をサーチする場合、補完放送検出処理として、サーチされたＡＭ放送に対応し、かつ受信可能なＦＭ補完放送波をサーチするので、ＡＭ放送波と、このＡＭ放送波に対応するＦＭ補完放送波とを効率良く検出できる。
また、情報処理部１４は、サーチされたＡＭ放送波を受信している場合、そのＡＭ放送に対応し、かつ受信可能なＦＭ補完放送波がサーチされたときは、そのＦＭ補完放送波が存在する旨を報知情報Ｇ２によって報知する報知処理を行う。これにより、現在受信中のＡＭ放送に対応するＦＭ補完放送波が有り、かつ、そのＦＭ補完放送波を受信可能であることをユーザに報知できる。この報知処理は、表示による報知に限定されず、音声又は振動等を利用した報知を適用してもよい。
【００４６】
また、情報処理部１４は、放送受信装置１が有する複数のスイッチのうちの所定の操作スイッチ１６Ｓが操作される毎に、受信可能なＡＭ放送波と、ＡＭ放送に対応し、かつ受信可能なＦＭ補完放送波との間で、受信対象の放送波を切り替える。これにより、同じ操作スイッチ１６Ｓを用いて、ＡＭ放送波の切り替えと、そのＡＭ放送に対応するＦＭ補完放送波とを切り替えることができ、ユーザは聞きやすい方を容易に選択することができる。
しかも、上記操作スイッチ１６Ｓに、受信可能な異なるＡＭ放送波をそれぞれ割り当てるプリセットキーを使用するので、この種のプリセットキーを有する従来の放送受信装置と同等のスイッチ数に抑えることができる。なお、操作スイッチ１６Ｓには他のハードウェアスイッチやソフトウェアスイッチを適宜に適用してもよい。
【００４７】
さらに、情報処理部１４は、放送局リストに基づいて、現在位置からＡＭ放送に対応するＦＭ補完放送波を特定するので、現在位置で受信可能なＡＭ放送に対応するＦＭ補完放送波を簡易に特定できる。
また、情報処理部１４は、ＦＭ補完放送波をサーチする処理として、受信可能なＦＭ放送波をサーチし、サーチしたＦＭ放送波が、放送局リストに基づいて現在位置で受信可能なＦＭ補完放送波か否かを判定する。これによって、従来のＦＭ放送のオートストア処理とほぼ同じ処理を適用して、ＦＭ補完放送波を容易に検出できる。
【００４８】
さらに、放送受信装置１は、受信可能なＡＭ放送波と、受信可能なＦＭ補完放送波とに関する情報を表示する表示部１７を備えるので、ユーザの視覚を利用して、受信可能なＡＭ放送波と、受信可能なＦＭ補完放送波とを視認し易く報知することができる。なお、ユーザの視覚を利用して受信可能なＦＭ補完放送の有無を報知する構成に限定されず、音声又は振動等を利用した報知を適用してもよい。
【００４９】
（第２実施形態）
第２実施形態は、ＦＭ補完放送波をサーチする処理として、放送局リストに基づいて現在位置で受信可能な一又は複数の補完放送波を特定し、特定した補完放送波が受信可能か否かを順に判定する点が第１実施形態と異なる。以下、第１実施形態と異なる箇所を説明する。
図７は第２実施形態に係る放送受信装置１の動作を示すフローチャートである。このフローチャートにおいて、第１実施形態と同様の箇所は同一のステップ番号を付して示し、重複説明を極力省略する。
【００５０】
ステップＳ５において、情報処理部１４は、位置検出部１５によって現在位置を特定できた場合、ステップＳ６Ａの処理に移行する。ステップＳ６Ａにおいて、情報処理部１４は、放送局リストがあるか否かを判定し、放送局リストがある場合はステップＳ７Ａの処理に移行し、放送局リストがない場合はステップＳ１１の処理に移行する。
ステップＳ７Ａにおいて、情報処理部１４は、放送局リストを参照することによって、現在位置で受信可能な一又は複数のＦＭ補完放送波を特定し、特定したＦＭ補完放送波が受信可能か否かを判定する。
【００５１】
続くステップＳ８Ａにおいて、情報処理部１４は、放送局リストから特定したＦＭ補完放送波が受信可能な場合（ステップＳ８Ａ；ＹＥＳ）、ステップＳ９の処理に移行し、受信可能なＦＭ補完放送波を、記憶部２２の所定領域に割り当てたサブ＿Ｐｃｈ領域に記憶し、ステップＳ１０Ａの処理に移行する。
ステップＳ１０Ａにおいて、情報処理部１４は、放送局リストから特定した全てのＦＭ補完放送波のサーチを終了したか否かを判定する。情報処理部１４は、サーチが終了していない場合（ステップＳ１０；ＮＯ）、ステップＳ７Ａの処理に移行し、サーチが終了すると（ステップＳ１０；ＹＥＳ）、ステップＳ１１の処理に移行する。以上の点を除いて、第１実施形態と動作は同じである。
【００５２】
このように、第２実施形態では、放送局リストに基づいて現在位置で受信可能な一又は複数のＦＭ補完放送波を特定し、特定したＦＭ補完放送波が受信可能か否かを判定するので、第１実施形態の各種の効果に加え、受信可能なＦＭ放送波を全てサーチした後にＦＭ補完放送波か否かを判定する場合と比べ、短時間でＦＭ補完放送波を検出することが可能になる。
【００５３】
上述した実施形態は、あくまでも本発明の一実施の態様を例示するものであって、本発明の趣旨を逸脱しない範囲で任意に変形、及び応用が可能である。
例えば、上述した放送受信装置１の各構成要素は、分割してもよいし、併合してもよい。また、各構成要素は、ハードウェアとソフトウェアの協働等により任意に実現可能である。また、フローチャートについても、各ステップに対応する処理を分割してもよいし、併合してもよい。
【００５４】
また、上述の実施形態では、放送受信装置１の記憶部２２に制御プログラムを予め記憶しておく場合について説明したが、この制御プログラムを、磁気記録媒体、光記録媒体、半導体記録媒体等のコンピュータが読み取り可能な記録媒体に格納し、コンピュータが記録媒体からこの制御プログラムを読み取って実行するようにしてもよい。また、この制御プログラムを電気通信回線を介して通信ネットワーク上の配信サーバー等からダウンロードできるようにしてもよい。
【符号の説明】
【００５５】
１  放送受信装置
１１  チューナ
１１Ａ  第１の受信部
１１Ｂ  第２の受信部
１２  信号処理部
１３  アンプ
１４  情報処理部
１５  位置検出部
１６  操作部
１６Ｓ  操作スイッチ
１７  表示部
２０  アンテナ
２１  スピーカ
２２  記憶部
【図１】
2019201276.tif 000003
【図２】
2019201276.tif 000004
【図３】
2019201276.tif 000005
【図４】
2019201276.tif 000006
【図５】
2019201276.tif 000007
【図６】
2019201276.tif 000008
【図７】
2019201276.tif 000009